(57)【要約】【課題】封止（接着）工程の加熱による撮像素子の封止空間の圧力の上昇を防ぐと共に、ＩＲカットフィルタの接着強度を確保し、且つ小型の固体撮像装置を提供する。【解決手段】撮像素子２を実装した回路基板１と、回路基板１を覆う筐体１３と、筐体１３内部に具備されたＩＲカットフィルタ１４及びレンズ７とを有する固体撮像装置において、ＩＲカットフィルタ１４を保持するＩＲカットフィルタ保持部９と、ＩＲカットフィルタ保持部９に設ける空気抜き用の貫通穴１２と、ＩＲカットフィルタ１４に設ける開口部１４ａ、１４ｂと有し、開口部１４ａ、１４ｂの少なくとも一つが貫通穴１２と重なる位置に設けられていることを特徴とする。【選択図】図１
2008135983.tif 000002
【特許請求の範囲】
【請求項１】
撮像素子を実装した回路基板と、該回路基板を覆う筐体と、該筐体内部に具備されたＩＲカットフィルタ及びレンズとを有する固体撮像装置において、該ＩＲカットフィルタを保持するＩＲカットフィルタ保持部と、該ＩＲカットフィルタ保持部に設ける空気抜き用の貫通穴と、前記ＩＲカットフィルタに設ける開口部と有し、該開口部の少なくとも一つが前記貫通穴と重なる位置に設けられていることを特徴とする固体撮像装置。
【請求項２】
前記ＩＲカットフィルタはシート状フィルムであることを特徴とする請求項１記載の固体撮像装置。
【請求項３】
前記ＩＲカットフィルタには複数個の開口部が形成されていることを特徴とする請求項１又は２記載の固体撮像装置。
【請求項４】
前記ＩＲカットフィルタの開口部の数が、前記貫通穴の数より多く形成されていることを特徴とする請求項３記載の固体撮像装置。
【発明の詳細な説明】
【技術分野】
【０００１】
本発明は固体撮像装置に関し、特に携帯電話機等の携帯機器に搭載される固体撮像装置に関する。
【背景技術】
【０００２】
携帯電話等の携帯機器に搭載される固体撮像装置は更なる小形化が要請されている。図１６は、従来技術による固体撮像装置の断面図である。従来技術における固体撮像装置は、回路基板１に撮像素子２が搭載されると共に、回路基板１との配線１０が施されている。さらに、回路基板１には、撮像素子２を覆うように筐体３が接着剤（不図示）を介して固定され、撮像素子２が封止されている。筐体３は筒体部３ａと枠体部３ｂとを備えており枠体部３ｂの内部には撮像素子２が収納され、筒体部３ａの内部にはレンズ７を具備するレンズホルダ６がネジ機構５により螺合されている。また、レンズ７と撮像素子２との間にはＩＲカットフィルタ保持部９が設けられており、このＩＲカットフィルタ保持部９に赤外線カット用のＩＲカットフィルタ４が取り付けられている。
【０００３】
この従来技術における固体撮像装置においては、封止の際に使用する熱硬化型接着剤を硬化させるための熱処理により、回路基板１と筐体３の枠体部３ｂとで囲われた撮像素子２の封止空間８の圧力が上昇し、回路基板１や筐体３が変形したり、接着不良が生じ接着部がリークしたり、筐体３の浮きや位置ずれといった問題が発生しており、問題を解消するために回路基板１または筐体３の側面のいずれかに外部と連通する空気抜き用の貫通穴を形成しておき、封止後に貫通穴に樹脂を注入して塞ぐ固体撮像装置の製造方法も開示されている。しかしながら小型の固体撮像装置の製造方法においては集合基板上に多数の撮像素子をマトリックス状に配置し、これに筐体を取り付け封止工程等を経て最後の工程で集合基板を切断して個々の固体撮像装置に分離する場合が多い。このため固体撮像装置の製造工程においては、隣接する固体撮像装置同士の間隔が狭く、筐体３の枠体部３ｂの側面に貫通穴を設けた場合は、貫通穴を封止後に樹脂等を注入して塞ぐ作業に手間がかかり、その分、工数が増加するという問題があった。また狭い空間での作業のため貫通穴への樹脂の注入が不安定となり、その部分による封止の信頼性が低下するという問題があった。また、回路基板１には部品が搭載され種々の配線もあるため回路基板１に貫通穴を設けることは難しい。これに対して上記問題点を解決し封止の信頼性が確保できる固体撮像装置が開示されている（例えば、特許文献１参照。）。
【０００４】
図１７は特許文献１に開示されている固体撮像装置の概略図で、図１７（ａ）は断面図、図１７（ｂ）は筐体と貫通穴とＩＲカットフィルタとの位置関係を示す平面図である。以下、図１７を参照して特許文献１に開示されている従来例について説明する。図１７に示すように、この固体撮像装置は筐体３のＩＲカットフィルタ保持部９に貫通穴１２を設けてある点が図１６に示した従来例と異なっている。その他の基本構造は図１６に示した従来例と同様であるため説明を省略する。図１７に示すようにＩＲカットフィルタ保持部９に設ける貫通穴１２は、筐体３の筒体部３ａの内側で、且つＩＲカットフィルタ４の外側となる部位に設けられている。この固体撮像装置の封止工程の概略は、まず回路基板１の上面に撮像素子２を固定し、配線１０を施した後、筐体３の枠体部３ｂを撮像素子２を覆うように被せると共に、熱硬化型接着剤（不図示）を介して筐体３を回路基板１に接着固定する。接着をする際には、筐体３と回路基板１を熱硬化型接着剤を介して貼り合わせた状態で加熱炉（不図示）に入れ、加熱処理を行う事により熱硬化型接着剤を硬化させるが、ＩＲカットフィルタ保持部９に貫通穴１２設けてあるため、そこから気体が外部へ抜けていくので撮像素子２の封止空間８の圧力が上昇することはない。接着が完了したらレンズ７が組み込まれたレンズホルダ６をネジ機構５を介して筐体３の筒体部３ａに螺合させ固定する。
【０００５】
【特許文献１】特開２００５−２０４１２号公報（第３頁、第２図）
【発明の開示】
【発明が解決しようとする課題】
【０００６】
しかしながら、図１７に示す従来技術における固体撮像装置においては、貫通穴１２に樹脂等を注入して塞ぐ場合、貫通穴１２がＩＲカットフィルタ保持部９に設けられているため筐体３の上方から作業ができるため作業がし易いという利点があるが、貫通穴１２を塞がないようにＩＲカットフィルタ４を配置する必要がある。この場合、貫通穴１２の近傍におけるＩＲカットフィルタ４の接着幅ｂは、ＩＲカットフィルタ４の外周部の大きさと、これに対向するＩＲカットフィルタ保持部９の窓部９ａの内周部の大きさとによって決められることになる。したがってＩＲカットフィルタ４の接着幅ｂの値は固体撮像装置の小型化に伴い小さくなり、これに伴って接着面積も小さくなる。このため、固体撮像装置の小型化をする場合、ＩＲカットフィルタ４の接着強度を確保することが困難であった。ＩＲカットフィルタ４は、矩形形状のガラス板が使用されるのが一般的であるが、固体撮像装置の薄型化を図るためにガラス板の代わりにシート状フィルムを用いる場合は、接着強度の確保が特に困難であった。このため、固体撮像装置の更なる小型化、薄型化が難しいという問題があった。
【０００７】
（発明の目的）
本発明は、上記問題点に鑑みてなされたものであり、封止（接着）工程の加熱による撮像素子の封止空間である筐体内部の圧力の上昇を防ぐと共に、ＩＲカットフィルタの接着強度を確保し、且つ小型の固体撮像装置を提供することを目的とするものである。
【課題を解決するための手段】
【０００８】
上記目的を達成するため本発明の固体撮像装置は、撮像素子を実装した回路基板と、回路基板を覆う筐体と、筐体内部に具備されたＩＲカットフィルタ及びレンズとを有する固体撮像装置において、ＩＲカットフィルタを保持するＩＲカットフィルタ保持部と、ＩＲカットフィルタ保持部に設ける空気抜き用の貫通穴と、ＩＲカットフィルタに設ける開口部と有し、開口部の少なくとも一つが貫通穴と重なる位置に設けられていることを特徴とする。
【０００９】
また、ＩＲカットフィルタはシート状フィルムであることを特徴とする。
【００１０】
また、ＩＲカットフィルタには複数個の開口部が形成されていることを特徴とする。
【００１１】
また、ＩＲカットフィルタの開口部の数が、貫通穴の数より多く形成されていることを特徴とする。
【発明の効果】
【００１２】
以上のように本発明によれば、筐体内部に具備されたＩＲカットフィルタ保持部と、ＩＲカットフィルタ保持部に設ける空気抜き用の貫通穴と、この貫通穴に対応する位置にＩＲカットフィルタの開口部を設けることにより、封止（接着）工程の加熱による筐体内部の圧力の上昇を防ぐと共に、ＩＲカットフィルタの接着面積を大きくすることによって、ＩＲカットフィルタの接着強度を確保し、且つ小型の固体撮像装置を実現することが出来る。
【発明を実施するための最良の形態】
【００１３】
本実施形態における固体撮像装置は、ＩＲカットフィルタ保持部に空気抜き用の貫通穴を設けると共に、ＩＲカットフィルタに開口部を設け、ＩＲカットフィルタに開口部の少なくとも一つをＩＲカットフィルタ保持部の貫通穴と重なる位置に配置することによって、封止（接着）工程の加熱による撮像素子の封止空間である筐体内部の圧力の上昇を防止したものである。また、ＩＲカットフィルタの接着面積を大きくすることによって、ＩＲカットフィルタの接着強度を確保し、固体撮像装置の小型化を実現したものである。
【００１４】
図１から図５は本実施形態の実施例１における固体撮像装置を示す図、図６から図８は実施例２における固体撮像装置を示す図、図９から図１１は実施例３における固体撮像装置を示す図、図１２から図１４は実施例４における固体撮像装置を示す図、図１５は実施例５における固体撮像装置を示す図である。各実施例において従来例と同様の構成要素については、同一番号を付与し説明は省略する。以下、図に基づいて具体的実施例について説明する。
【実施例１】
【００１５】
図１は本実施形態の実施例１における固体撮像装置を示す概略図で、図１（ａ）は平面図、図１（ｂ）は図１（ａ）におけるＡ−Ａ断面図である。図２は実施例１のＩＲカットフィルタ保持部の貫通穴とＩＲカットフィルタの開口部との位置関係を示す平面図、図３は実施例１のＩＲカットフィルタを示す平面図、図４は実施例１におけるＩＲカットフィルタの他の例を示す平面図、図５は実施例１のＩＲカットフィルタの開口部付近の接着状態を示す部分拡大概略図で、図５（ａ）は断面図、図５（ｂ）は接着剤の逃溝を示す平面図である。以下、本実施例における固体撮像装置について図１から図５に基づいて説明する。
【００１６】
本実施例における固体撮像装置の基本構造は従来例と類似するが簡単に説明する。図１に示すように撮像素子２が搭載されている回路基板１には、撮像素子２を覆うように筐体１３が接着剤（不図示）を介して固定され、撮像素子２が封止されている。筐体１３は筒体部１３ａと枠体部１３ｂとを備えており枠体部１３ｂの内部には撮像素子２が収納され、筒体部１３ａの内部にはレンズ７を具備するレンズホルダ６がネジ機構５により螺合されている。また、レンズ７と撮像素子２との間にはＩＲカットフィルタ保持部９が設けられており、ＩＲカットフィルタ保持部９には空気抜き用の貫通穴１２が設けられている。この貫通穴１２は筒体部１３ａの内側の領域に配置されている。さらに、ＩＲカットフィルタ保持部９の撮像素子２に対向する側に赤外線カット用のＩＲカットフィルタ１４が取り付けられており、このＩＲカットフィルタ１４には、ＩＲカットフィルタ保持部９に設ける貫通穴１２と重なる位置に開口部として孔部１４ａが設けられている。
【００１７】
図２は、回路基板１を取り除き、筐体１３の内部の状態を分かり易く示した平面図であり、回路基板１側から見た筐体１３とＩＲカットフィルタ１４とを示している。図２、図３に示すようにＩＲカットフィルタ１４は略正方形の形状で、二つの開口部として孔部１４ａ、１４ｂが設けられている。孔部１４ａはＩＲカットフィルタ保持部９の貫通穴１２と重なる位置に配置されており、この貫通穴１２と孔部１４ａとを通じて筐体１３の枠体部１３ａと回路基板１とで囲われた撮像素子２の封止空間８の空気を筐体１３の筒体部１３ｂ側に逃がすようになっている。
【００１８】
孔部１４ｂは、ＩＲカットフィルタ１４の中心位置２０に対し孔部１４ａと対称となる位置に設けられている。このためＩＲカットフィルタ１４を中心位置２０を基点として１８０度回転させることによって孔部１４ｂをＩＲカットフィルタ保持部９の貫通穴１２と重なる位置に配置出来るようになっている。このように、ＩＲカットフィルタ１４の開口部としての孔部はＩＲカットフィルタ保持部９の貫通穴１２と重なる位置に１つ配置されていれば良いが、ＩＲカットフィルタ１４をＩＲカットフィルタ保持部９に取り付ける工程においては本実施例のように複数の開口部を設けることによって作業性を向上させる利点があり好ましい。
【００１９】
ＩＲカットフィルタ１４はＩＲカットフィルタ保持部９に接着剤を用いて接着固定するが、このとき、接着剤が流出しＩＲカットフィルタ保持部９の貫通穴１２又はＩＲカットフィルタ１４の開口部ある孔部１４ａを塞ぐおそれがある。そこで、本実施例においては図５に示すようにＩＲカットフィルタ保持部９の貫通穴１２と重なる位置に配置されるＩＲカットフィルタ１４の孔部１４ａの外側の領域に孔部１４ａを取り囲むようにリング状の接着剤の逃溝１５が設けてある。これによって流出した接着剤１６を逃溝１５に誘導し、接着剤１６が貫通穴１２又は孔部１４ａへの流出を防止することができる。
【００２０】
また、ＩＲカットフィルタ１４は可視光を透過する基材の表面に、赤外線をカットするフィルター層を設けることによって形成されるものや、ポリエステルやアクリル等の樹脂材料からなるシート状フィルムがある。可視光を透過する基材としては、ガラス板を用いることができる。ガラス板の場合は、実用出来る板厚の限界が０．３ｍｍ程度で有るが、シート状フィルムは厚さを０．１ｍｍ程度まで小さく出来る。したがって、固体撮像装置の小型化、薄型化の点でシート状フィルムの方が好ましい。また、ＩＲカットフィルタ１４の開口部としての孔部１４ａ、１４ｂの加工についてもシート状フィルムの方が簡単であり、コスト的な面でも好ましい。本実施例においては、ＩＲカットフィルタ１４としてシート状フィルムを採用し、住友スリーエム社製のポリマー干渉多層膜フィルター（商品名：ＤＩＳＩＲ６６０１０−ＲＥ）を用いた。なお、ポリマー干渉多層膜フィルターの厚さは略０．１ｍｍである。
【００２１】
本実施例における固体撮像装置の封止工程の概略は、従来例とほぼ同様であるが簡単に説明する。まず回路基板１の上面に撮像素子２を固定し、配線１０を施した後、筐体１３の枠体部１３ｂを撮像素子２を覆うように被せると共に、熱硬化型接着剤（不図示）を介して筐体１３を回路基板１に接着固定する。接着をする際には、筐体１３と回路基板１を熱硬化型接着剤を介して貼り合わせた状態で加熱炉（不図示）に入れ、加熱処理を行う事により熱硬化型接着剤を硬化させるが、ＩＲカットフィルタ保持部９に貫通穴１２設けると共に貫通穴１２と重なる位置にＩＲカットフィルタ１４の孔部１４ａが設けられているため、この貫通穴１２と開口部１４ａとを通じて筐体１３の枠体部１３ａと回路基板１とで囲われ撮像素子２の封止空間８の空気を筐体１３の筒体部１３ｂ側に逃がす構造になっており、ここから気体が外部へ抜けていくので撮像素子の封止空間８の圧力が上昇することはない。接着が完了したら貫通穴１２に樹脂などを注入して貫通穴１２を塞ぎ、レンズ７が組み込まれたレンズホルダ６をネジ機構５を介して筐体１３の筒体部１３ａに螺合させ固定する。これによって筐体１３内部の気密性を確保することができる。
【００２２】
以上のように本実施例によれば、筐体１３の内部に具備されたＩＲカットフィルタ保持部９と、ＩＲカットフィルタ保持部９に設ける空気抜き用の貫通穴１２と、この貫通穴１２に対応する位置にＩＲカットフィルタ１４の開口部としての孔部１４ａを設けることにより、封止（接着）工程の加熱による撮像素子２の封止空間８、即ち、筐体内部の圧力の上昇を防ぐことができる。また、ＩＲカットフィルタ１４の接着面積を大きくすることによって、ＩＲカットフィルタ１４の接着強度を確保することができる。この結果、ＩＲカットフィルタ１４としてシート状フィルムを用いて薄型化が可能となる。
【００２３】
図４は、ＩＲカットフィルタの他の例を示したものである。本実施例においては、ＩＲカットフィルタの開口部としてＩＲカットフィルタを貫通する孔部を例として説明したが、図４に示すようにＩＲカットフィルタ１７に開口部として二つの切欠部１７ａ、１７ｂを設けた場合でも同様の効果を得ることが出来る。この二つの切欠部１７ａ、１７ｂは、ＩＲカットフィルタ１４の開口部としての孔部１４ａ、１４ｂから近接するＩＲカットフィルタ１４のそれぞれの外周に向かって開口を延長し切欠としたものである。このように、ＩＲカットフィルタ１７は二つの切欠部１７ａ、１７ｂがＩＲカットフィルタ１４の孔部１４ａ、１４ｂと形状が異なるだけで機能的には同様である。また、ＩＲカットフィルタ１７のその他の仕様についてはＩＲカットフィルタ１４と同様であるため説明を省略する。
【実施例２】
【００２４】
図６は実施例２における固体撮像装置を示す概略図で、図６（ａ）は平面図、図６（ｂ）は図６（ａ）におけるＡ−Ａ断面図、図７は実施例２におけるＩＲカットフィルタ保持部の貫通穴とＩＲカットフィルタの開口部との位置関係を示す平面図、図８は実施例２におけるＩＲカットフィルタを示す平面図である。本実施例における固体撮像装置は、ＩＲカットフィルタ保持部の貫通穴を筐体の筒体部の外側の領域に設け、貫通穴と重なる位置にＩＲカットフィルタの切り欠きを設けた例であり、その他の基本的な構造は実施例１と同様である。
【００２５】
図６に示すように撮像素子２が搭載されている回路基板１には、撮像素子２を覆うように筐体２３が接着剤（不図示）を介して固定され、撮像素子２が封止されている。筐体２３は筒体部２３ａと枠体部２３ｂとを備えており枠体部２３ｂの内部には撮像素子２が収納され、筒体部２３ａの内部にはレンズ７を具備するレンズホルダ６がネジ機構５により螺合されている。また、レンズ７と撮像素子２との間にはＩＲカットフィルタ保持部９が設けられており、ＩＲカットフィルタ保持部９には空気抜き用の貫通穴２２が設けられている。この貫通穴２２は筒体部１３ａの外側の領域に配置されており、この貫通穴２２によって筐体の枠体部２３ｂの内部と外部とが連通されている。さらに、ＩＲカットフィルタ保持部９の撮像素子２に対向する側に赤外線カット用のＩＲカットフィルタ２７が取り付けられており、このＩＲカットフィルタ２７には、ＩＲカットフィルタ保持部９に設ける貫通穴２２と重なる位置に開口部として切欠部２７ａが設けられている。
【００２６】
図７は、回路基板１を取り除き、筐体２３の内部の状態を分かり易く示した平面図であり、回路基板１側から見た筐体２３とＩＲカットフィルタ２７とを示している。図７、図８に示すようにＩＲカットフィルタ２７は略正方形の形状で、四つの角部のそれぞれに開口部として切欠部２７ａ、２７ｂ、２７ｃ、２７ｄが設けられている。切欠部２７ａはＩＲカットフィルタ保持部９の貫通穴２２と重なる位置に配置されており、この貫通穴２２と切欠部２７ａとを通じて筐体２３の枠体部２３ａと回路基板１とで囲われた撮像素子の封止空間８の空気を筐体２３の外部に逃がすようになっている。
【００２７】
切欠部２７ａ、２７ｂ、２７ｃ、２７ｄは、ＩＲカットフィルタ２７の四つの角部のそれぞれに配置されているので、ＩＲカットフィルタ２７を中心位置を基点として９０度回転させる毎に切欠部２７ａから２７ｂ、２７ｃ、２７ｄをＩＲカットフィルタ保持部９の貫通穴２２と重なる位置に配置出来るようになっている。ＩＲカットフィルタ２７の開口部としての切欠部はＩＲカットフィルタ保持部９の貫通穴２２と重なる位置に１つ配置されていれば良いが、ＩＲカットフィルタ２７をＩＲカットフィルタ保持部９に取り付ける工程においては本実施例のように複数の開口部を設けることによって作業性を向上させる利点があり好ましい。なお、ＩＲカットフィルタ２７としては、実施例１と同じシート状フィルムを採用し、ＩＲカットフィルタ保持部９への接着についても実施例１と同様であるため説明は省略する。
【００２８】
本実施例における固体撮像装置の封止工程は、熱硬化型接着剤（不図示）を介して筐体２３を回路基板１に接着固定する点は実施例１と同様であるが、ＩＲカットフィルタ保持部９に設ける貫通穴２２と、貫通穴２２と重なる位置に設けたＩＲカットフィルタ２７の切欠部２７ａとを通じて筐体２３の枠体部２３ｂと回路基板１とで囲われ撮像素子２の封止空間８の空気を筐体２３の外部に逃がす構造になっており、撮像素子２の封止空間８の圧力が上昇することはない。接着が完了したらレンズホルダ６を筐体２３の筒体部２３ａに螺合させ固定し、最後に筐体２３の外部に露出している貫通穴２２に樹脂等を注入して貫通穴２２を塞ぐことよって筐体２３内部の気密性を確保することができる。以上のように本実施例においてもＩＲカットフィルタ２７の接着面積を大きくすることによって、ＩＲカットフィルタ２７の接着強度を確保することができ、実施例１と同様の効果を得ることができる。
【実施例３】
【００２９】
図９は実施例３における固体撮像装置を示す概略図で、図９（ａ）は平面図、図９（ｂ）は図９（ａ）におけるＡ−Ａ断面図、図１０（ａ）は実施例３におけるＩＲカットフィルタ保持部の貫通穴とＩＲカットフィルタの開口部との位置関係を示す平面図、図１０（ｂ）は図１０（ａ）におけるＡ−Ａ断面図、図１１は実施例３におけるＩＲカットフィルタを示す平面図である。本実施例における固体撮像装置は、筐体を構成する筒体部と枠体部とを別体とした例であり、その他の点は実施例１と同様である。
【００３０】
図９に示すように撮像素子２が搭載されている回路基板１には、撮像素子２を覆うように筐体３３が接着剤（不図示）を介して固定され、撮像素子２が封止されている。筐体３３は筒体部３３ａと枠体部３３ｂとを備えており、それぞれ別体で形成されている。この筒体部３３ａと枠体部３３ｂとは、後述するように封止工程において接着固定される。枠体部３３ｂの内部には回路基板１に搭載された撮像素子２が収納され、筒体部３３ａの内部にはレンズ７を具備するレンズホルダ６がネジ機構５により螺合されている。枠体部３３ｂの筒体部３３ａが配置される側にＩＲカットフィルタ保持部９が設けられており、ＩＲカットフィルタ保持部９には空気抜き用の貫通穴３２が設けられている。この貫通穴３２は筒体部３３ａの内側の領域に配置されており、この貫通穴３２によって枠体部３３ｂの内部と外部とが連通されている。さらに、ＩＲカットフィルタ保持部９のレンズ７に対向する側に赤外線カット用のＩＲカットフィルタ２４が取り付けられており、このＩＲカットフィルタ２４には、ＩＲカットフィルタ保持部９に設ける貫通穴３２と重なる位置に開口部として孔部２４ａが設けられている。
【００３１】
図１０（ａ）は、筒体部３３ａを取り除き筐体３３の内部の状態を分かり易く示した平面図であり、筒体部３３ａ側から見た枠体部３３ｂとＩＲカットフィルタ２４とを示している。図１０（ｂ）は図１０（ａ）におけるＡ−Ａ断面図である。図１０（ａ）、図１１に示すようにＩＲカットフィルタ２４は略正方形の形状で、ＩＲカットフィルタ保持部９に設ける案内部９ｂに配置され接着固定されている。このＩＲカットフィルタ２４には二つの開口部として孔部２４ａ、２４ｂが設けられている。孔部２４ａはＩＲカットフィルタ保持部９の貫通穴３２と重なる位置に配置されており、この貫通穴３２と孔部２４ａとを通じて筐体３３の枠体部３３ａと回路基板１とで囲われた撮像素子２の封止空間８の空気を外部に逃がす様になっている。また、案内部９ｂの外側には枠体部３３ｂの外周に沿って立ち上がる側壁１８が形成されており、この側壁１８の内部に筒体部３３ａが配置固定されるようになっている。
【００３２】
ＩＲカットフィルタ２４の孔部２４ｂは、ＩＲカットフィルタ２４の中心位置に対し孔部２４ａと対称となる位置に設けられている。また、ＩＲカットフィルタ２４としては、実施例１と同じシート状フィルムを採用し、ＩＲカットフィルタ保持部９への接着についても実施例１と同様であるため説明は省略する。
【００３３】
本実施例における固体撮像装置の封止工程は、熱硬化型接着剤（不図示）を介して筐体３３の枠体部３３ｂを回路基板１に接着固定するが、ＩＲカットフィルタ保持部９に設ける貫通穴３２と、貫通穴３２と重なる位置に設けたＩＲカットフィルタ２４の孔２４ａとを通じて枠体部３３ｂと回路基板１とで囲われ撮像素子の封止空間８の空気を枠体部３３ｂの外部に逃がす構造になっており、撮像素子の封止空間８の圧力が上昇することはない。その後、枠体部３３ｂの側壁１８の内部に筒体部３３ａを配置し接着剤で接着固定する。接着が完了したら貫通穴３２に樹脂等を注入して貫通穴３２を塞ぎ筐体３３内部の気密性を確保する。次にレンズホルダ６を筐体の筒体部３３ａに螺合させ固定する。このように本実施例においてもＩＲカットフィルタ２４の接着面積を大きくすることによって、ＩＲカットフィルタ２４の接着強度を確保することができ実施例１と同様の効果を得ることができる。
【実施例４】
【００３４】
図１２は実施例４における固体撮像装置を示す概略図で、図１２（ａ）は平面図、図１２（ｂ）は図１２（ａ）におけるＡ−Ａ断面図、図１３（ａ）は実施例４におけるＩＲカットフィルタ保持部の貫通穴とＩＲカットフィルタの開口部との位置関係を示す平面図、図１３（ｂ）は図１３（ａ）におけるＡ−Ａ断面図である。図１４は実施例４におけるＩＲカットフィルタを示す平面図である。本実施例における固体撮像装置は、ＩＲカットフィルタ保持部の貫通穴を筐体の筒体部の外側の領域に設け、貫通穴と重なる位置にＩＲカットフィルタの切り欠きを設けた例であり、その他の基本的な構造は実施例３と同様であるため説明を省略する。
【００３５】
図１２に示すようにＩＲカットフィルタ保持部９には空気抜き用の貫通穴４２が設けられている。この貫通穴４２は筒体部３３ａの外側に対応する領域に配置されており、この貫通穴４２によって枠体部３３ｂの内部と外部とが連通されている。さらに、ＩＲカットフィルタ保持部９のレンズ７に対向する側に赤外線カット用のＩＲカットフィルタ３７が取り付けられており、このＩＲカットフィルタ３７には、ＩＲカットフィルタ保持部９に設ける貫通穴４２と重なる位置に開口部として切欠部３７ａが設けられている。
【００３６】
図１３は、筒体部３３ａを取り除き、筐体３３の内部の状態を分かり易く示した平面図であり、筒体部３３ａ側から見た枠体部３３ｂとＩＲカットフィルタ３７とを示している。図１３、図１４に示すようにＩＲカットフィルタ３７は略正方形の形状で、ＩＲカットフィルタ保持部９に設ける案内部９ｂに配置され接着固定されている。このＩＲカットフィルタ３７には四つの角部のそれぞれに開口部として切欠部３７ａ、３７ｂ、３７ｃ、３７ｄが設けられている。切欠部３７ａはＩＲカットフィルタ保持部９の貫通穴４２と重なる位置に配置されており、この貫通穴４２と切欠部３７ａとを通じて筐体３３の枠体部３３ｂと回路基板１とで囲われた撮像素子２の封止空間８の空気を外部に逃がす様になっている。
【００３７】
ＩＲカットフィルタ３７の切欠部３７ａ、３７ｂ、３７ｃ、３７ｄは、ＩＲカットフィルタ３７の四つの角部のそれぞれに配置されているので、ＩＲカットフィルタ３７を中心位置を基点として９０度回転させる毎に切欠部３７ａから３７ｂ、３７ｃ、３７ｄをＩＲカットフィルタ保持部９の貫通穴４２と重なる位置に配置出来るようになっており、ＩＲカットフィルタ３７の仕様は実施例２のＩＲカットフィルタ２７と同様であり、実施例１と同じシート状フィルムを採用し、ＩＲカットフィルタ保持部９への接着についても実施例１と同様であるため説明は省略する。
【００３８】
本実施例における固体撮像装置の封止工程は、熱硬化型接着剤（不図示）を介して筐体３３の枠体部３３ｂを回路基板１に接着固定するが、ＩＲカットフィルタ保持部９に設ける貫通穴４２と、貫通穴４２と重なる位置に設けたＩＲカットフィルタ３７の切欠部３７ａとを通じて枠体部３３ｂと回路基板１とで囲われ撮像素子２の封止空間８の空気を枠体部３３ｂの外部に逃がす構造になっており、撮像素子２の封止空間８の圧力が上昇することはない。その後、枠体部３３ｂの側壁１８の内部に筒体部３３ａを配置し接着剤で接着固定する。これによってＩＲカットフィルタ保持部９に設ける貫通穴３２を筒体部３３ａで塞ぎ、筐体３３内部の気密性を確保する。接着が完了したらレンズホルダ６を筐体３３の筒体部３３ａに螺合させ固定する。このように、本実施例においてもＩＲカットフィルタ３７の接着面積を大きくすることによって、ＩＲカットフィルタ３７の接着強度を確保することができ、実施例１と同様の効果を得ることができる。
【実施例５】
【００３９】
図１５は、実施例５における固体撮像装置を示す概略断面図である。本実施例における固体撮像装置は、回路基板の一方の表面に撮像素子を配置し、他方の表面に筐体を配置した例であり、その他は、実施例１と同様である。図１５に示すように、回路基板１１の一方の表面に撮像素子２が搭載されており、対向する他方の表面に筐体４３が配置され接着剤（不図示）を介して固定されている。回路基板１１には、他方の表面側から受光した光を撮像素子２に照射するための基板開口部１１ａが設けられている。筐体４３は筒体部４３ａと枠体部４３ｂとを備えており、筒体部４３ａの内部にはレンズ７を具備するレンズホルダ６がネジ機構５により螺合されている。
【００４０】
また、筐体４３におけるレンズ７と回路基板１１との間にはＩＲカットフィルタ保持部９が設けられており、ＩＲカットフィルタ保持部９には空気抜き用の貫通穴１２が設けられている。この貫通穴１２は筒体部４３ａの内側の領域で、且つ基板開口部１１ａの内側に配置されている。さらに、ＩＲカットフィルタ保持部９の撮像素子２に対向する側に赤外線カット用のＩＲカットフィルタ１４が取り付けられており、このＩＲカットフィルタ１４には、ＩＲカットフィルタ保持部９に設ける貫通穴１２と重なる位置に開口部として孔部１４ａが設けられている。
【００４１】
ＩＲカットフィルタ１４の孔部１４ｂは、ＩＲカットフィルタ１４の中心位置に対し孔部１４ａと対称となる位置に設けられている。また、ＩＲカットフィルタ１４は、実施例１と同様であり、ＩＲカットフィルタ保持部９への接着についても実施例１と同様であるため説明は省略する。
【００４２】
本実施例における固体撮像装置の製造工程は、熱硬化型接着剤（不図示）を介して筐体４３を回路基板１１に接着固定するが、ＩＲカットフィルタ保持部９に設ける貫通穴１２と、貫通穴１２と重なる位置に設けたＩＲカットフィルタ１４の孔部１４ａとを通じて枠体部４３ｂと回路基板１１とで囲われた空間１９の空気を筒体部４３ａ側に逃がす構造になっており、空間１９の圧力が上昇することはない。接着が完了したら貫通穴１２に樹脂等を注入して貫通穴１２を塞ぎ、筐体４３の内部の気密性を確保する。次に、レンズホルダ６を筐体４３の筒体部４３ａに螺合させ固定する。このように、本実施例においてもＩＲカットフィルタ１４の接着面積を大きくすることによって、ＩＲカットフィルタ１４の接着強度を確保することができ、実施例１と同様の効果を得ることができる。
【００４３】
なお、本実施例においては、ＩＲカットフィルタが略正方形形状である例で説明したが、この形状に限定されるではなく必要に応じて適宜設定することができる。
また、ＩＲカットフィルタ保持部９に設ける貫通穴が１個の場合を例として説明したが、これに限定されるものではなく、必要に応じて複数の貫通穴を設けても良い。
【図面の簡単な説明】
【００４４】
【図１】本発明の実施例１における固体撮像装置を示す概略図で、図１（ａ）は平面図、図１（ｂ）は図１（ａ）におけるＡ−Ａ断面図である。
【図２】本発明の実施例１におけるＩＲカットフィルタ保持部の貫通穴とＩＲカットフィルタの開口部との位置関係を示す平面図である。
【図３】本発明の実施例１におけるＩＲカットフィルタを示す平面図である。
【図４】本発明の実施例１におけるＩＲカットフィルタの他の例を示す平面図である。
【図５】本発明の実施例１におけるＩＲカットフィルタの開口部付近の接着状態を示す部分拡大概略図、図５（ａ）は断面図、図５（ｂ）は接着剤の逃溝を示す平面図である。
【図６】本発明の実施例２における固体撮像装置を示す概略図で、図６（ａ）は平面図、図６（ｂ）は図６（ａ）におけるＡ−Ａ断面図である。
【図７】本発明の実施例２におけるＩＲカットフィルタ保持部の貫通穴とＩＲカットフィルタの開口部との位置関係を示す平面図である。
【図８】本発明の実施例２におけるＩＲカットフィルタを示す平面図である。
【図９】本発明の実施例３における固体撮像装置を示す概略図で、図９（ａ）は平面図、図９（ｂ）は図９（ａ）におけるＡ−Ａ断面図である。
【図１０】本発明の実施例３における筐体と貫通穴とＩＲカットフィルタの開口部との位置関係を示し、図１０（ａ）は、平面図、図１０（ｂ）は図１０（ａ）におけるＡ−Ａ断面図である。
【図１１】本発明の実施例３におけるＩＲカットフィルタを示す平面図である。
【図１２】本発明の実施例４における固体撮像装置を示す概略図で、図１２（ａ）は平面図、図１２（ｂ）は図１２（ａ）におけるＡ−Ａ断面図である。
【図１３】本発明の実施例４におけるＩＲカットフィルタ保持部の貫通穴とＩＲカットフィルタの開口部との位置関係を示し、図１３（ａ）は、平面図、図１３（ｂ）は図１３（ａ）におけるＡ−Ａ断面図である。
【図１４】本発明の実施例４におけるＩＲカットフィルタを示す平面図である。
【図１５】本発明の実施例５における固体撮像装置を示す概略断面図である。
【図１６】従来技術における固体撮像装置を示す概略断面図である。
【図１７】従来技術における固体撮像装置の他の例を示す概略図で、図１７（ａ）は断面図、図１７（ｂ）は、筐体と貫通穴とＩＲカットフィルタの開口部との位置関係を示す平面図である。
【符号の説明】
【００４５】
１  回路基板
２  撮像素子
３、１３、２３、３３、４３  筐体
３ａ、１３ａ、２３ａ、３３ａ、４３ａ  筐体の筒体部
３ｂ、１３ｂ、２３ｂ、３３ｂ、４３ｂ  筐体の枠体部
４  ＩＲカットフィルタ
５  ネジ機構
６  レンズホルダー
７  レンズ
８  固体撮像素子の封止空間
９  ＩＲカットフィルタ保持部
９ａ  ＩＲカットフィルタ保持部の窓部
９ｂ  案内部
１０  配線
１１  回路基板（開口有）
１１ａ  回路開口部
１２、２２、３２、４２  ＩＲカットフィルタ保持部の貫通穴
１４、２４  ＩＲカットフィルタ（孔部あり）
１４ａ、２４ａ  ＩＲカットフィルタの孔部（開口部）
１４ｂ、２４ｂ  ＩＲカットフィルタの孔部（開口部）
１５  接着剤の逃溝
１６  接着剤
１７  ＩＲカットフィルタ（切欠２所）
１７ａ、１７ｂ  ＩＲカットフィルタの切欠部（開口部）
１８  側壁
１９  空間
２０   ＩＲカットフィルタの中心
２７  ＩＲカットフィルタ（切欠４所）
２７ａ、２７ｂ、２７ｃ、２７ｄ  ＩＲカットフィルタの切欠部（開口部）
３７  ＩＲカットフィルタ（切欠４所）
３７ａ、３７ｂ、３７ｃ、３７ｄ  ＩＲカットフィルタの切欠部（開口部）
【図１】
2008135983.tif 000003
【図２】
2008135983.tif 000004
【図３】
2008135983.tif 000005
【図４】
2008135983.tif 000006
【図５】
2008135983.tif 000007
【図６】
2008135983.tif 000008
【図７】
2008135983.tif 000009
【図８】
2008135983.tif 000010
【図９】
2008135983.tif 000011
【図１０】
2008135983.tif 000012
【図１１】
2008135983.tif 000013
【図１２】
2008135983.tif 000014
【図１３】
2008135983.tif 000015
【図１４】
2008135983.tif 000016
【図１５】
2008135983.tif 000017
【図１６】
2008135983.tif 000018
【図１７】
2008135983.tif 000019